(57)【要約】【課題】無線通信に関し煩雑な処理を行うことなく他の情報読取装置との相互干渉を抑制し得る情報読取装置を提供する。【解決手段】情報読取装置２０は、制御部２１、アンテナ部３０およびステイ４０を備えており、アンテナ部３０は、アンテナ基板３１とこのアンテナ基板３１を収容するケース３２とを有している。アンテナ部３０のアンテナ基板３１を保持するステイ４０は、アンテナ基板３１の背面３１ｂに対して反射器距離Ｘだけ離れて対向する底板４１の対向面４１ａが電波を反射するための反射器Ｒとして構成されている。【選択図】図２
2015121911.tif 000002
【特許請求の範囲】
【請求項１】
無線通信媒体に記録される情報を無線通信により読み取る情報読取装置であって、
前記無線通信媒体との間で電波を送受信するアンテナと、
前記アンテナを保持する保持部材と、を備え、
前記保持部材は、前記アンテナの背面に対して所定の距離だけ離れて対向する対向部が前記電波を反射するための反射器として構成されることを特徴とする情報読取装置。
【請求項２】
前記所定の距離は、前記電波の波長の１／４以下に設定されることを特徴とする請求項１に記載の情報読取装置。
【請求項３】
前記保持部材は、前記無線通信媒体がかざされる壁部の裏面に前記アンテナの送受信面が対向するように、前記壁部に対して取り付け可能に形成されることを特徴とする請求項１または２に記載の情報読取装置。
【請求項４】
前記保持部材は、
前記アンテナが収容されるケースと、
前記ケースを前記壁部に対して取り付け可能に形成される取付部材と、
を備えることを特徴とする請求項３に記載の情報読取装置。
【請求項５】
前記対向部は、前記取付部材に設けられることを特徴とする請求項４に記載の情報読取装置。
【請求項６】
前記対向部は、前記ケースに設けられることを特徴とする請求項４に記載の情報読取装置。
【請求項７】
前記対向部は、前記アンテナに対向する対向面内に当該対向面に対して垂直に投影される前記アンテナの背面の投影面が位置するように形成されることを特徴とする請求項１〜６のいずれか一項に記載の情報読取装置。
【請求項８】
前記対向部は、前記アンテナに対向する対向面の形状が前記アンテナの背面の投影面と同じ形状となるように形成されることを特徴とする請求項７に記載の情報読取装置。
【請求項９】
前記保持部材は、前記対向部に加えて、前記アンテナの側面を覆う側壁の少なくとも一部が前記電波を反射する反射器として構成されることを特徴とする請求項１〜８のいずれか一項に記載の情報読取装置。
【請求項１０】
前記反射器は、金属材料により構成されることを特徴とする請求項１〜９のいずれか一項に記載の情報読取装置。
【請求項１１】
前記反射器は、電波の伝播を阻害する材料を含むように構成されることを特徴とする請求項１〜９のいずれか一項に記載の情報読取装置。
【発明の詳細な説明】
【技術分野】
【０００１】
本発明は、無線通信媒体に記録される情報を無線通信により読み取る情報読取装置に関するものである。
【背景技術】
【０００２】
従来、ＲＦＩＤタグ等の無線通信媒体に記録される情報を無線通信により読み取る情報読取装置では、出力電波の周波数帯や送受信電力の変更だけでなくアンテナの形状や構成等によってその読み取り距離を変更することができる。しかしながら、遠方まで読み取り可能な設定にするために読み取り可能な範囲を単に広くすると、隣接する他の情報読取装置が読み取るべき無線通信媒体まで読み取ってしまい、意図しない読み取りが発生するという問題がある。
【０００３】
この問題を解決するための技術として、下記特許文献１に開示されるＲＦＩＤタグ通信装置が知られている。このＲＦＩＤタグ通信装置では、希望する通信範囲の境界位置に予め配置された３つのＲＦＩＤタグに対してそれぞれ応答確認がなされ、その通信の成功率が規定値以上となっている場合にその送信出力レベルを低下させることで最小送信出力レベルが設定される。そして、通信範囲内に読取対象のＲＦＩＤタグが付された物品が移動してくることで境界位置のＲＦＩＤタグとの通信の成功率が低下すると、送信出力レベルを上げる制御がなされる。これにより、読取対象が通信範囲内にない場合には、ＲＦＩＤタグ通信装置の送信出力レベルが低いレベルに維持されるので、複数のＲＦＩＤタグ通信装置同士の相互干渉が抑制される。
【先行技術文献】
【特許文献】
【０００４】
【特許文献１】特開２００８−３０１００４号公報
【発明の概要】
【発明が解決しようとする課題】
【０００５】
ところで、上述のような構成では、希望する通信範囲の境界位置に複数のＲＦＩＤタグ等の無線通信媒体を予め配置し、かつ、読取対象の無線通信媒体だけでなく常に上記境界位置の各無線通信媒体と通信する必要がある。このため、情報読取装置における無線通信に関する処理が煩雑になるという問題がある。
【０００６】
本発明は、上述した課題を解決するためになされたものであり、その目的とするところは、無線通信に関し煩雑な処理を行うことなく他の情報読取装置との相互干渉を抑制し得る情報読取装置を提供することにある。
【課題を解決するための手段】
【０００７】
上記目的を達成するため、特許請求の範囲の請求項１に記載の発明は、無線通信媒体に記録される情報を無線通信により読み取る情報読取装置（２０）であって、前記無線通信媒体との間で電波を送受信するアンテナ（３１）と、前記アンテナを保持する保持部材（４０，５１）と、を備え、前記保持部材は、前記アンテナの背面（３１ｂ）に対して所定の距離（Ｘ）だけ離れて対向する対向部（４１，５３ａ）が前記電波を反射するための反射器（Ｒ）として構成される。
なお、上記各括弧内の符号は、後述する実施形態に記載の具体的手段との対応関係を示すものである。
【発明の効果】
【０００８】
請求項１の発明では、アンテナを保持する保持部材は、アンテナの背面に対して所定の距離だけ離れて対向する対向部が電波を反射するための反射器として構成されている。これにより、アンテナの背面からの電波が保持部材の対向部にて反射することで、アンテナの送受信面から直交するように放射される方向（以下、読取方向ともいう）への電波の指向性が向上し、これに伴い当該読取方向と異なる方向への電波の放射が抑制される。したがって、無線通信に関し煩雑な処理を行うことなく他の情報読取装置との相互干渉を抑制することができる。
【０００９】
特に、請求項２の発明のように、所定の距離を電波の波長の１／４以下に設定することで、上記読取方向への電波の指向性がより向上するため、他の情報読取装置に対する相互干渉の抑制効果をさらに向上させることができる。
【００１０】
請求項３の発明では、保持部材は、無線通信媒体がかざされる壁部の裏面にアンテナの送受信面が対向するように、壁部に対して取り付け可能に形成される。これにより、アンテナを上記壁部に対して容易に取り付けることができるだけでなく、上記壁部に対するアンテナの取り付け位置に関する精度を高めやすくすることができる。
【００１１】
請求項４の発明では、保持部材は、アンテナが収容されるケースとこのケースを上記壁部に対して取り付け可能に形成される取付部材とを備えているため、アンテナを上記壁部に対して容易に取り付けることができる保持部材を簡素な構成にて実現することができる。
【００１２】
特に、請求項４の発明のような構成では、対向部を、請求項５の発明のように取付部材に設けることもできるし、請求項６の発明のようにケースに設けることもできる。
【００１３】
請求項７の発明では、対向部は、アンテナに対向する対向面内に当該対向面に対して垂直に投影されるアンテナの背面の投影面が位置するように形成されるため、アンテナの背面からの電波を保持部材の対向部にて確実に反射することができる。このため、上記読取方向への電波の指向性がより向上し、他の情報読取装置に対する相互干渉の抑制効果をさらに向上させることができる。
【００１４】
特に、請求項８の発明のように、対向部のアンテナに対向する対向面の形状がアンテナの背面の投影面と同じ形状となるように形成されることで、アンテナの背面からの電波を保持部材の対向部にて確実に反射しつつ、その対向面の表面積を小さくすることができる。これにより、他の情報読取装置に対する相互干渉の抑制効果をさらに向上させつつ、情報読取装置の小型化を図ることができる。
【００１５】
請求項９の発明では、保持部材は、対向部に加えて、アンテナの側面を覆う側壁の少なくとも一部が電波を反射する反射器として構成されるため、上記読取方向と異なる方向への電波の放射がさらに抑制される。これにより、上記読取方向への電波の指向性がより向上し、他の情報読取装置に対する相互干渉の抑制効果をさらに向上させることができる。
【００１６】
請求項１０の発明では、反射器は、金属材料により構成されるため、電波を反射する反射器としての機能を、対向部に容易に付加することができる。
【００１７】
請求項１１の発明では、反射器は、電波の伝播を阻害する材料を含むように構成されるため、電波を反射する反射器としての機能を、対向部に容易に付加することができる。
【図面の簡単な説明】
【００１８】
【図１】第１実施形態に係る情報読取装置の概略構成を示す説明図である。
【図２】アンテナ部がステイを用いてテーブルに固定された状態を示す断面図である。
【図３】シミュレーション時におけるアンテナと反射器との配置関係を説明する説明図である。
【図４】反射器距離を変数する合成利得、半値角およびＦＢ比と電波の周波数との関係を示す図表である。
【図５】反射器距離と合成利得との関係を示すグラフである。
【図６】反射器距離と半値角との関係を示すグラフである。
【図７】反射器距離とＦＢ比との関係を示すグラフである。
【図８】ステイにより保持されたアンテナ部による放射パターンを示す図である。
【図９】アンテナ部のみでの放射パターンを示す図である。
【図１０】第２実施形態に係る情報読取装置の要部を示す断面図である。
【発明を実施するための形態】
【００１９】
［第１実施形態］
以下、本発明の情報読取装置を具現化した第１実施形態について、図面を参照して説明する。なお、図１は、第１実施形態に係る情報読取装置２０の概略構成を示す説明図である。図２は、アンテナ部３０がステイ４０を用いてテーブル１１に固定された状態を示す断面図である。
【００２０】
図１に示す情報読取装置２０は、図２に示すように、商品を販売するＰＯＳレジシタ１０の近傍に配置されて、商品に付されたＲＦＩＤタグなどの無線通信媒体がサッカ台等のテーブル１１の天面１１ａにかざされるときに、この無線通信媒体に記録される商品情報等（販売額や商品名等）を無線通信により読み取ってＰＯＳレジシタ１０等に出力する読取装置として構成されている。なお、テーブル１１は、「壁部」の一例に相当し得る。
【００２１】
情報読取装置２０は、制御部２１と、アンテナ部３０と、ステイ４０と、を備えている。制御部２１は、公知の電波方式で伝送を行う回路として構成されており、発振器、変調器、増幅器、復調器などを備えており、ケーブル２２を介してアンテナ部３０に接続されている。この制御部２１は、例えば発振器で生成された発振信号を変調器によって変調し、その変調波をアンテナ部３０を介して送信電波として出力し、無線通信媒体からの電波をアンテナ部３０を介して受信すると復調器にて復調等することで上記商品情報等を取得するように構成されている。
【００２２】
アンテナ部３０は、無線通信媒体と無線通信するためのアンテナ基板３１と、このアンテナ基板３１を収容する合成樹脂製のケース３２とを備えている。アンテナ基板３１は、略略矩形状に形成されており、その表面（以下、送受信面３１ａともいう）には、アンテナパターンが配置されている。ケース３２は、上ケース３３および下ケース３４を備えており、両ケース３３，３４を組み付けることでアンテナ基板３１を収容する収容空間が形成される。また、下ケース３４には、その下表面の四隅に所定の高さの突起部３４ａが設けられている。
【００２３】
図２に示すように、アンテナ基板３１は、その送受信面３１ａにて上ケース３３の底面に対向し、その背面３１ｂにて下ケース３４の底面に対向するように、ケース３２に支持されてその収容空間内に収容されている。
【００２４】
ステイ４０は、保持したアンテナ部３０をテーブル１１の裏面１１ｂに取り付けるための取付部材として機能するものである。このステイ４０は、金属材料により構成されるプレートを屈曲させることで、矩形状の底板４１と、この底板４１の四辺に連結する４つの側板４２〜４５と、２つの取付片４６，４７とを有するように一体に形成されている。底板４１は、下ケース３４の下表面とほぼ同じ矩形状に形成されている。側板４２には、アンテナ部３０に接続されるケーブル２２を避けるための切欠き４２ａが形成されている。取付片４６は、底板４１と平行であって外方へ延出するように側板４３の上端に連結されている。取付片４７は、底板４１と平行であって外方へ延出するように側板４４の上端に連結されている。なお、各側板４２〜４５は、「側壁」の一例に相当し得る。
【００２５】
上述のように構成されるアンテナ部３０は、各突起部３４ａにて底板４１に接触し各側板４２〜４５にて周囲を囲まれた状態でステイ４０に保持され、このステイ４０が両取付片４６，４７にてテーブル１１の裏面１１ｂに取り付けられることで、テーブル１１に対して所定の位置に固定される（図２参照）。
【００２６】
このとき、アンテナ基板３１の背面３１ｂと底板４１との距離（以下、反射器距離Ｘともいう）が電波の波長λの１／４以下となるように、突起部３４ａの高さが設定されている。
【００２７】
このように反射器距離Ｘを設定する理由について、図３〜図７を用いて詳細に説明する。なお、図３は、シミュレーション時におけるアンテナＡと反射器Ｒとの配置関係を説明する説明図である。図４は、反射器距離Ｘを変数する合成利得、半値角およびＦＢ比と電波の周波数との関係を示す図表である。図５は、反射器距離Ｘと合成利得との関係を示すグラフである。図６は、反射器距離Ｘと半値角との関係を示すグラフである。図７は、反射器距離ＸとＦＢ比との関係を示すグラフである。
【００２８】
図３に示すように、アンテナＡの背面側に反射器距離Ｘにて電波を反射する機能を有する反射器Ｒを配置し、この反射器距離Ｘを段階的に変化させて、合成利得、半値角およびＦＢ比（前方対後方比）とそのときの電波の周波数とをシミュレーションにより計算し、このシミュレーション結果を図４の図表および図５〜図７のグラフにまとめた。なお、アンテナＡは、一辺が１８０ｍｍの正方形状であり、反射器Ｒは、一辺が２００ｍｍの正方形状に設定されている。また、合成利得は、水平偏波および垂直偏波の双方を合成した利得である。
【００２９】
図４および図５に示すように、合成利得は、反射器距離Ｘが１０ｍｍ〜５０ｍｍで最も良くなり、５ｍｍまたは１００ｍｍでは僅かに低下していることがわかる。そして、合成利得は、反射器距離Ｘが反射器距離Ｘが０ｍｍに近づくか１００ｍｍを超えるとさらに低下していることがわかる。
【００３０】
また、図４および図６に示すように、半値角は、反射器距離Ｘが５ｍｍ〜２０ｍｍで最も小さくなり、２０ｍｍを超えて５０ｍｍ程度までは僅かに大きくなっていることがわかる。そして、半値角は、反射器距離Ｘが０ｍｍに近づくか５０ｍｍを超えるとさらに大きくなっていることがわかる。
【００３１】
また、図４および図７に示すように、ＦＢ比は、反射器距離Ｘが５０ｍｍ〜１００ｍｍで最も良くなり、５０ｍｍ未満では０ｍｍに近づくほど低下し、１００ｍを超えても低下していることがわかる。
【００３２】
上述したシミュレーション結果からわかるように、反射器距離Ｘに応じて半値角等が変化する。そこで、アンテナの送受信面から直交するように放射される方向（読取方向α）への電波の指向性を向上させるため、アンテナＡに対して半値角をできるだけ小さくするような反射器距離Ｘに相当する位置に反射器Ｒを配置する。半値角を小さくすることで、読取方向αへの電波の指向性が向上し、当該読取方向αと異なる方向への電波の放射が抑制されるからである。これにより、同じテーブルの裏面に２つのアンテナ部が設けられる場合でも、これらのアンテナ部をその読取方向αが上記テーブルの裏面に直交するようにそれぞれ配置することで、他方のアンテナ部との相互干渉を抑制することができる。
【００３３】
また、上述したシミュレーション結果では、電波の周波数が９１８．５ＭＨｚ〜９１３．４ＭＨｚであり、その電波の波長λの１／４が８０ｍｍ程度となる。また、反射器距離Ｘが０ｍｍよりも大きく８０ｍｍ以下となる範囲では、半値角が小さくなり、合成利得およびＦＢ比も良好な値となっている。
【００３４】
そこで、本実施形態では、反射器Ｒとして機能するステイ４０の底板４１を、反射器距離Ｘが０ｍｍを超えて電波の波長λの１／４以下となるように、アンテナ基板３１の背面側に配置する。この反射器距離Ｘは、下ケース３４に形成される各突起部３４ａの高さにより調整することができる。なお、底板４１は、「対向部」の一例に相当し、反射器距離Ｘは、「所定の距離」の一例に相当し得る。
【００３５】
また、底板４１は、アンテナ基板３１に対向する対向面（底板４１の上面）４１ａ内に当該対向面４１ａに対して垂直に投影されるアンテナ基板３１の背面３１ｂの投影面が位置するように形成される。すなわち、底板４１の対向面４１ａは、アンテナ基板３１の背面３１ｂよりも広くなるように形成されて、その背面３１ｂと平行となるように配置される。
【００３６】
次に、上述のように構成されるアンテナ部３０がステイ４０により保持される場合と保持されない場合とについて半値角等を計算した結果を、図８および図９を用いて説明する。図８は、ステイ４０により保持されたアンテナ部３０による放射パターンを示す図である。図９は、アンテナ部３０のみでの放射パターンを示す図である。
【００３７】
なお、図８および図９に対応するシミュレーションでは、アンテナ基板３１におけるアンテナは、一辺が１８０ｍｍの正方形状に設定されている。また、図８に対応するシミュレーションでは、反射器距離Ｘは、２０ｍｍに設定され、底板４１に相当する反射器Ｒは、一辺が２００ｍｍの正方形状に設定されている。
【００３８】
図８および図９からわかるように、アンテナ部３０がステイ４０により保持された状態では、アンテナ部３０のみの状態と比較して、半値角θが小さくなっている。なお、図８では、半値角θは、７８．８°であり、水平利得は２．３ｄＢｉ、ＦＢ比は−１６．１ｄＢである。また、図９では、半値角θは、９０．６°であり、水平利得は０．８ｄＢｉ、ＦＢ比は−１６．６ｄＢである。
【００３９】
このことから、ステイ４０の底板４１が、読取方向αへの電波の指向性を向上させるための反射器Ｒとして機能していることがわかる。また、アンテナ部３０の側面を覆う側板４２〜４５も反射器として機能させることができ、これにより半値角等をより向上させることができる。
【００４０】
以上説明したように、本実施形態に係る情報読取装置２０では、アンテナ部３０のアンテナ基板３１を保持するステイ４０は、アンテナ基板３１の背面３１ｂに対して反射器距離Ｘだけ離れて対向する底板４１が電波を反射するための反射器Ｒとして構成されている。
【００４１】
これにより、アンテナ基板３１の背面３１ｂからの電波が底板４１にて反射することで、送受信面３１ａから直交するように放射される読取方向αへの電波の指向性が向上し、これに伴い当該読取方向αと異なる方向への電波の放射が抑制される。したがって、無線通信に関し煩雑な処理を行うことなく他の情報読取装置との相互干渉を抑制することができる。
【００４２】
特に、反射器距離Ｘを、０ｍｍを超えて電波の波長の１／４以下となるように設定することで、上記読取方向αへの電波の指向性がより向上するため、他の情報読取装置に対する相互干渉の抑制効果をさらに向上させることができる。
【００４３】
また、ステイ４０は、無線通信媒体がかざされるテーブル１１の裏面１１ｂにアンテナ基板３１の送受信面３１ａが対向するように、テーブル１１に対して取り付け可能に形成される。これにより、アンテナ部３０をテーブル１１に対して容易に取り付けることができるだけでなく、テーブル１１に対するアンテナ部３０の取り付け位置に関する精度を高めやすくすることができる。
【００４４】
また、アンテナ部材３０は、アンテナ基板３１が収容されるケース３２を備えており、ステイ４０は、ケース３２をテーブル１１に対して取り付け可能に形成されている。このため、アンテナ基板３１をテーブル１１の所定の位置に対して容易に取り付けることができる保持部材を、ケース３２およびステイ４０により簡素な構成にて実現することができる。特に、このような構成では、反射器Ｒとして機能する底板４１を、ステイ４０に容易に設けることができる。
【００４５】
また、底板４１は、アンテナ基板３１に対向する対向面４１ａ内にアンテナ基板３１の背面３１ｂの投影面が位置するように形成されるため、対向面４１ａがアンテナ基板３１よりも広くなり、アンテナ基板３１の背面３１ｂからの電波を底板４１にて確実に反射することができる。このため、上記読取方向αへの電波の指向性がより向上し、他の情報読取装置に対する相互干渉の抑制効果をさらに向上させることができる。
【００４６】
また、ステイ４０は、底板４１に加えて、アンテナ部３０の側面を覆う側板４２〜４５が電波を反射する反射器Ｒとして構成されるため、上記読取方向αと異なる方向への電波の放射がさらに抑制される。これにより、上記読取方向αへの電波の指向性がより向上し、他の情報読取装置に対する相互干渉の抑制効果をさらに向上させることができる。
【００４７】
なお、ステイ４０は、各側板４２〜４５にてアンテナ部３０の四方の側面を覆うように形成されることに限らず、一部の側板（側壁）にて、アンテナ部３０の側面の一部を覆うように形成されてもよい。この場合、上記一部の側板が電波を反射する反射器Ｒとして構成されることでも、上記効果を奏する。
【００４８】
特に、底板４１および側板４２〜４５は、金属材料により構成されるため、電波を反射する反射器Ｒとしての機能を、底板４１や側板４２〜４５に容易に付加することができる。
【００４９】
［第２実施形態］
次に、本第２実施形態に係る情報読取装置について、図１０を参照して説明する。図１０は、第２実施形態に係る情報読取装置の要部を示す断面図である。
本第２実施形態では、ステイ４０を廃止しアンテナ部３０に代えてアンテナ部５０を採用する点が、上記第１実施形態と主に異なる。このため、第１実施形態と実質的に同様の構成部分には同一符号を付して説明を省略する。
【００５０】
アンテナ部５０は、上述したアンテナ基板３１と、このアンテナ基板３１を収容する合成樹脂製のケース５１とを備えており、ケース５１は、上ケース５２および下ケース５３から構成されている。上ケース５２は、上述した上ケース３３に対して、上面の外縁から複数の取付片５２ａが外方へ延出するように形成されている。これら各取付片５２ａは、アンテナ部５０をテーブル１１の裏面１１ｂに取り付けるための取付部材として機能するものである。
【００５１】
下ケース５３の底壁５３ａのうちアンテナ基板３１に対向する対向面５３ｂには、電波の伝播を阻害する材料、例えば金属物性を有する粉末を含む膜がコーティングされている。これにより、対向面５３ｂは、アンテナ基板３１からの電波を反射する反射器Ｒとして機能する。なお、底壁５３ａは、「対向部」の一例に相当し得る。
【００５２】
また、下ケース５３の底壁５３ａとアンテナ基板３１の背面３１ｂとの間には、反射器距離Ｘを調整するための所定の厚さのスペーサ５４が配置されている。
【００５３】
このように、本実施形態に係るアンテナ部５０では、アンテナ基板３１を保持するケース５１は、アンテナ基板３１の背面３１ｂに対して反射器距離Ｘだけ離れて対向する対向面５３ｂが電波を反射するための反射器Ｒとして構成されている。
【００５４】
これにより、アンテナ基板３１の背面３１ｂからの電波が対向面５３ｂにて反射することで、送受信面３１ａから直交するように放射される読取方向αへの電波の指向性が向上し、これに伴い当該読取方向αと異なる方向への電波の放射が抑制される。したがって、無線通信に関し煩雑な処理を行うことなく他の情報読取装置との相互干渉を抑制することができる。
【００５５】
特に、対向面５３ｂは、電波の伝播を阻害する材料を含む膜がコーティングされることで構成されるため、電波を反射する反射器Ｒとしての機能を、対向面５３ｂに容易に付加することができる。
【００５６】
なお、下ケース５３は、底壁５３ａの対向面５３ｂに上述のような膜がコーティングされることで反射器Ｒとしての機能を有することに限らず、少なくとも底壁５３ａを形成する形成材料に電波の伝播を阻害する金属物性等の材料を含ませることで、反射器Ｒとしての機能を有してもよい。
【００５７】
なお、本発明は上記各実施形態に限定されるものではなく、例えば、以下のように具体化してもよい。
（１）アンテナ基板３１に対して反射器Ｒとしての機能する対向部は、その対向面がステイ４０の底板４１の対向面４１ａや下ケース５３の底壁５３ａの対向面５３ｂのように、その対向面内にアンテナ基板３１の背面３１ｂの投影面が位置するように形成されることに限らず、その対向面の形状がアンテナ基板３１の背面３１ｂと同じ形状となるように形成されてもよい。すなわち、対向部の対向面を、アンテナ基板３１の背面３１ｂと同じ形状に形成してもよい。
【００５８】
このような構成では、アンテナ基板３１の背面３１ｂからの電波を上記対向部にて確実に反射しつつ、その対向面の表面積を小さくすることができる。これにより、他の情報読取装置に対する相互干渉の抑制効果をさらに向上させつつ、情報読取装置の小型化を図ることができる。
【００５９】
（２）上記第１実施形態において、反射器距離Ｘは、下ケース３４の下表面に設けられる各突起部３４ａの高さに応じて設定されることに限らず、例えば、各突起部３４ａを廃止した下ケース３４のその厚さに応じて設定されてもよいし、下ケース３４とステイ４０の底板４１との間に介在するスペーサ等の高さに応じて設定されてもよい。
【００６０】
（３）本発明に係る情報読取装置２０は、テーブル１１の裏面１１ｂに取り付けられて使用されることに限らず、読取対象となる無線通信媒体がかざされる壁部の裏面に取り付けられて使用されてもよい。また、本発明に係る情報読取装置２０は、テーブル１１等の壁部上に載置されて、読取対象となる無線通信媒体が直接かざされるように使用されてもよい。
【符号の説明】
【００６１】
１１…テーブル（壁部）
２０…情報読取装置
２１…制御部
３０，５０…アンテナ部
３１…アンテナ基板
３２…ケース
４０…ステイ（取付部材，保持部材）
４１…底板（対向部）
５１…ケース（保持部材）
５２ａ…取付片（取付部材）
５３ａ…底壁（対向部）
【図１】
2015121911.tif 000003
【図２】
2015121911.tif 000004
【図３】
2015121911.tif 000005
【図４】
2015121911.tif 000006
【図５】
2015121911.tif 000007
【図６】
2015121911.tif 000008
【図７】
2015121911.tif 000009
【図８】
2015121911.tif 000010
【図９】
2015121911.tif 000011
【図１０】
2015121911.tif 000012